(57)【特許請求の範囲】
【請求項１】
八角形の上方シート体（１３）と、八角形の下方シート体（１４）と、左シート片（１５）と、右シート片（１６）と、糊代部（１９）と、２つの掴み部（３９）とを具備して折り畳みシート本体（１０）が構成され、
前記上方シート体（１３）と前記下方シート体（１４）とは、山折り線である第１中央折り線（２０）を介して連接されており、
前記左シート片（１５）は、前記第１中央折り線（２０）の前記左側端部（Ａ）から前記上方シート体（１３）と前記左シート片との交差点（Ｂ）までを結んで刻設された山折り線（２１）を介して前記上方シート体（１３）と連接されると共に、前記第１中央折り線（２０）の前記左側端部（Ａ）から前記下方シート体（１４）と前記左シート片との交差点（Ｃ）までを結んで刻設された山折り線（２２）を介して前記下方シート体（１４）と連接され、
前記右シート片（１６）は、前記第１中央折り線（２０）の前記右側端部（Ｅ）から前記上方シート体（１３）と前記右シート片との交差点（Ｆ）までを結んで刻設された山折り線（２４）を介して前記上方シート体（１３）と連接されると共に、前記第１中央折り線（２０）の前記右側端部（Ｅ）から前記下方シート体（１４）と前記右シート片との交差点（Ｇ）までを結んで刻設された山折り線（２５）を介して前記下方シート体（１４）と連接され、
前記糊代部（１９）は、山折り線である前記上方シート体（１３）の上辺（１８）を介して前記上方シート体（１３）と連接され、
前記掴み部（３９）は半円形状で、前記左シート片（１５）の左辺及び前記右シート片（１６）の右辺をそれぞれ底辺（４０）とし、前記左シート片（１５）及び前記右シート片（１６）の端部にそれぞれ連接され、
前記上方シート体（１３）には、該上方シート体（１３）を上下に二分する第２中央折り線（３１）が刻設されて上部上方シート体（２９）と下部上方シート体（３０）とが形成され、前記上部上方シート体（２９）には、前記第２中央折り線（３１）の一部を底辺とする半円状のスリット（３５）を設け、該半円状のスリット（３５）の底辺の部分は折り線としないことにより第１突出片（３６）が形成され、
前記下方シート体（１４）には、該下方シート体（１４）を上下に二分する第３中央折り線（３４）が刻設されて上部下方シート体（３２）と下部下方シート体（３３）とが形成され、前記下部下方シート体（３２）には、前記第３中央折り線（３４）の一部を底辺とする半円状のスリット（３７）を設け、該半円状のスリット（３７）の底辺の部分は折り線としないことにより、第２突出片（３８）が形成され、
前記左シート片（１５）には、前記第１中央折り線（２０）の延長線上で、前記第１中央折り線（２０）の左側端部（Ａ）から最長で前記左シート片（１５）の端部（Ｄ）まで延び、谷折り線である左シート片中央折り線（２３）が刻設され、
前記右シート片（１６）には、前記第１中央折り線（２０）の延長線上で、前記第１中央折り線（２０）の右側端部（Ｅ）から最長で前記右シート片（１６）の端部（Ｈ）まで延び、谷折り線である右シート片中央折り線（２６）が刻設され、
前記左シート片中央折り線（２３）の左側端部（Ｉ）と前記交差点（Ｂ）とを結ぶ辺（４１）、及び、前記右シート片中央折り線（２６）の右側端部と前記交差点（Ｆ）とを結ぶ辺は、それぞれ円弧状の辺（４１）であり、
前記円弧状の辺（４１）は、該円弧状の辺（４１）と前記掴み部（３９）の底辺の上側端部（Ｌ）から前記第１中央折り線（２０）の延長線と平行する辺（４４）との交差点（Ｍ）から、前記左シート片中央折り線（２３）の端部（Ｉ）まで、及び、前記右シート片中央折り線（２６）の端部まではそれぞれスリットであり、
前記左シート片（１５）の前記交差点（Ｃ）からは、前記第１中央折り線（２０）の延長線に平行で、八角形である前記下方シート体（１４）の左側側辺と同じ長さを有する辺（４２）が延び、同様に、前記右シート片（１６）の前記交差点（Ｇ）から、前記第１中央折り線（２０）の延長線に平行で、八角形である前記下方シート体（１４）の右側側辺と同じ長さを有する辺が延び、
前記左シート片（１５）の前記辺（４２）の交差点（Ｃ）とは反対側の端部（Ｊ）と、前記掴み部（３９）の前記底辺の下側端部（Ｋ）とが辺（４３）で結ばれ、同様に、前記右シート片（１６）の前記交差点（Ｇ）から延びる辺の、前記交差点（Ｇ）とは反対側の端部と、前記掴み部（３９）の前記底辺の下側端部とが辺で結ばれ、
前記左シート片（１５）には、前記掴み部（３９）の前記底辺（４０）が、前記上部上方シート体（２９）の左側側辺（４５）と重なるように、谷折りの折り線（４６）が刻設され、同様に、前記右シート片（１６）には、前記掴み部（３９）の前記底辺が、前記上部上方シート体（２９）の右側側辺と重なるように、谷折りの折り線が刻設されており、
前記第１中央折り線（２０）、及び前記山折り線（２１），（２２），（２４），（２５）を山折りにし、前記左シート片中央折り線（２３）及び前記右シート片中央折り線（２６）を谷折りにし、前記半円状のスリット（３５）、（３７）の底辺部分以外の前記第２中央折り線（３１）及び前記第３中央折り線（３４）を谷折りにし、
前記左シート片（１５）及び前記右シート片（１６）に刻設された谷折りの折り線（４６）を谷折りにすることにより、前記左シート片（１５）及び前記右シート片（１６）が上方シート体（１３）と下方シート体（１４）との間に収納されると同時に、掴み代部（４７）が左右に形成され、
前記糊代部（１９）の表面あるいは裏面のいずれか一方の面に糊を塗布し、該糊が塗布された面を前記下方シート体（１４）の下部に貼設し、
前記左右の掴み代部（４７）をそれぞれ左右方向に引っ張り、前記左シート片（１５）及び前記右シート片（１６）を同時にそれぞれ左右に引き出すことにより、前記折り畳みシート本体（１０）が筒状に拡張することを特徴とする折り畳みシート体。
【発明の詳細な説明】
【技術分野】
【０００１】
本発明は、折り畳みシート体に関し、さらに詳細には、折り畳みシート本体の左右シート片を左右方向に引き出すことにより、上下方シート体が筒状に拡張するように構成された折り畳みシート体に関する。
【背景技術】
【０００２】
従来、折り畳みシート体として、例えば写真、切手、シール等の紙片を添付するためのもの、あるいは、内面や外面に文字や図形等を印刷してパンフレットや地図として使用するようにしたものが公知である。しかしながら、これらの折り畳みシート体は、実用性の面ではともかく、折り畳まれたシート体を拡げたときの意外性や娯楽性に乏しく、このため、かかる折り畳みシート体を例えば書籍等の商品の拡販目的や乳幼児の知育目的、あるいは遊び道具等の面で役立てることが難しかった。
【０００３】
これに対し、例えば特許文献１には、子供向けの絵本や月刊誌の付録等に使用し、鑑賞用の置物や子供の遊び道具としての使用を目的とした組み立て式用紙が提案されている。なお、この発明は組み立てた立体の底面用紙部にホログラムを設け、外部からのぞき見るようにしたものである。
【０００４】
しかしながら、このような組み立て式用紙による発明は、組み立てられた組立体はそのものを操作して楽しむものではなく、やはり依然として上述した意外性や娯楽性に乏しく、このため商品の拡販目的や用事の知育目的あるいは遊び道具等として使用面では満足できるものではなかった。
【０００５】
そこで、従来、立体的に組み立てられた組立体の操作体を操作して楽しむようにした一種の折り畳みシート体が特許文献２で「立体物素材」として知られている。この「立体物素材」とは、グリーティングカードや絵本等に使用されるもので、本体の一部、例えば猫の胴体に組み付けられた操作体である尻尾部分を外側に引っ張ることにより、眠っていた猫が顔を持ち上げるように構成されたものである。しかしながら、この立体物素材は、顔部を含む本体、尻尾部分の操作体、腹体等をそれぞれ別個にシート材から形成し、これらを接着剤等を用いて組み立て、この組み立て体を台体上に固定して使用するようにしたものであるので、構造が複雑でかつ製造工数が多いことから製造コストが高くなる欠点があった。
【特許文献１】特開２００５−８１７２７号公報
【特許文献２】特開平１０−３２４０８０号公報
【発明の開示】
【発明が解決しようとする課題】
【０００６】
本発明は、上述したような実情に鑑みてなされたもので、その目的とするところは、意外性や娯楽性に富み、また商品の拡販目的や乳幼児の知育目的等の面でも有効な折り畳みシート体を提供することにある。
【課題を解決するための手段】
【０００７】
本発明の上記目的は、八角形の上方シート体（１３）と、八角形の下方シート体（１４）と、左シート片（１５）と、右シート片（１６）と、糊代部（１９）と、２つの掴み部（３９）とを具備して折り畳みシート本体（１０）が構成され、
前記上方シート体（１３）と前記下方シート体（１４）とは、山折り線である第１中央折り線（２０）を介して連接されており、
前記左シート片（１５）は、前記第１中央折り線（２０）の前記左側端部（Ａ）から前記上方シート体（１３）と前記左シート片との交差点（Ｂ）までを結んで刻設された山折り線（２１）を介して前記上方シート体（１３）と連接されると共に、前記第１中央折り線（２０）の前記左側端部（Ａ）から前記下方シート体（１４）と前記左シート片との交差点（Ｃ）までを結んで刻設された山折り線（２２）を介して前記下方シート体（１４）と連接され、
前記右シート片（１６）は、前記第１中央折り線（２０）の前記右側端部（Ｅ）から前記上方シート体（１３）と前記右シート片との交差点（Ｆ）までを結んで刻設された山折り線（２４）を介して前記上方シート体（１３）と連接されると共に、前記第１中央折り線（２０）の前記右側端部（Ｅ）から前記下方シート体（１４）と前記右シート片との交差点（Ｇ）までを結んで刻設された山折り線（２５）を介して前記下方シート体（１４）と連接され、
前記糊代部（１９）は、山折り線である前記上方シート体（１３）の上辺（１８）を介して前記上方シート体（１３）と連接され、
前記掴み部（３９）は半円形状で、前記左シート片（１５）の左辺及び前記右シート片（１６）の右辺をそれぞれ底辺（４０）とし、前記左シート片（１５）及び前記右シート片（１６）の端部にそれぞれ連接され、
前記上方シート体（１３）には、該上方シート体（１３）を上下に二分する第２中央折り線（３１）が刻設されて上部上方シート体（２９）と下部上方シート体（３０）とが形成され、前記上部上方シート体（２９）には、前記第２中央折り線（３１）の一部を底辺とする半円状のスリット（３５）を設け、該半円状のスリット（３５）の底辺の部分は折り線としないことにより第１突出片（３６）が形成され、
前記下方シート体（１４）には、該下方シート体（１４）を上下に二分する第３中央折り線（３４）が刻設されて上部下方シート体（３２）と下部下方シート体（３３）とが形成され、前記下部下方シート体（３２）には、前記第３中央折り線（３４）の一部を底辺とする半円状のスリット（３７）を設け、該半円状のスリット（３７）の底辺の部分は折り線としないことにより、第２突出片（３８）が形成され、
前記左シート片（１５）には、前記第１中央折り線（２０）の延長線上で、前記第１中央折り線（２０）の左側端部（Ａ）から最長で前記左シート片（１５）の端部（Ｄ）まで延び、谷折り線である左シート片中央折り線（２３）が刻設され、
前記右シート片（１６）には、前記第１中央折り線（２０）の延長線上で、前記第１中央折り線（２０）の右側端部（Ｅ）から最長で前記右シート片（１６）の端部（Ｈ）まで延び、谷折り線である右シート片中央折り線（２６）が刻設され、
前記左シート片中央折り線（２３）の左側端部（Ｉ）と前記交差点（Ｂ）とを結ぶ辺（４１）、及び、前記右シート片中央折り線（２６）の右側端部と前記交差点（Ｆ）とを結ぶ辺は、それぞれ円弧状の辺（４１）であり、
前記円弧状の辺（４１）は、該円弧状の辺（４１）と前記掴み部（３９）の底辺の上側端部（Ｌ）から前記第１中央折り線（２０）の延長線と平行する辺（４４）との交差点（Ｍ）から、前記左シート片中央折り線（２３）の端部（Ｉ）まで、及び、前記右シート片中央折り線（２６）の端部まではそれぞれスリットであり、
前記左シート片（１５）の前記交差点（Ｃ）からは、前記第１中央折り線（２０）の延長線に平行で、八角形である前記下方シート体（１４）の左側側辺と同じ長さを有する辺（４２）が延び、同様に、前記右シート片（１６）の前記交差点（Ｇ）から、前記第１中央折り線（２０）の延長線に平行で、八角形である前記下方シート体（１４）の右側側辺と同じ長さを有する辺が延び、
前記左シート片（１５）の前記辺（４２）の交差点（Ｃ）とは反対側の端部（Ｊ）と、前記掴み部（３９）の前記底辺の下側端部（Ｋ）とが辺（４３）で結ばれ、同様に、前記右シート片（１６）の前記交差点（Ｇ）から延びる辺の、前記交差点（Ｇ）とは反対側の端部と、前記掴み部（３９）の前記底辺の下側端部とが辺で結ばれ、
前記左シート片（１５）には、前記掴み部（３９）の前記底辺（４０）が、前記上部上方シート体（２９）の左側側辺（４５）と重なるように、谷折りの折り線（４６）が刻設され、同様に、前記右シート片（１６）には、前記掴み部（３９）の前記底辺が、前記上部上方シート体（２９）の右側側辺と重なるように、谷折りの折り線が刻設されており、
前記第１中央折り線（２０）、及び前記山折り線（２１），（２２），（２４），（２５）を山折りにし、前記左シート片中央折り線（２３）及び前記右シート片中央折り線（２６）を谷折りにし、前記半円状のスリット（３５）、（３７）の底辺部分以外の前記第２中央折り線（３１）及び前記第３中央折り線（３４）を谷折りにし、
前記左シート片（１５）及び前記右シート片（１６）に刻設された谷折りの折り線（４６）を谷折りにすることにより、前記左シート片（１５）及び前記右シート片（１６）が上方シート体（１３）と下方シート体（１４）との間に収納されると同時に、掴み代部（４７）が左右に形成され、
前記糊代部（１９）の表面あるいは裏面のいずれか一方の面に糊を塗布し、該糊が塗布された面を前記下方シート体（１４）の下部に貼設し、
前記左右の掴み代部（４７）をそれぞれ左右方向に引っ張り、前記左シート片（１５）及び前記右シート片（１６）を同時にそれぞれ左右に引き出すことにより、前記折り畳みシート本体（１０）が筒状に拡張するように構成したことを特徴とする折り畳みシート体を提供することによって達成される。
【発明の効果】
【００１１】
本発明に係る折り畳みシート体によれば、折り畳みシート本体の左右シート片を左右方向に引き出す（外側に引っ張り出す）ことにより、上下方シート体が筒状に拡張するように構成されているので、使用者が意外な驚き及び娯楽性をもって、その動きを楽しむことができる。
【００１２】
また、本発明に係る折り畳みシート体に絵柄又は文字等のデザインを施し、このデザインを宣伝広告用とすることにより商品の拡販を図ることを目的としたり、またこのデザインを簡単な文字や数字、あるいはキャラクター等の絵柄とすることにより乳幼児の知育目的にも適用することができる。
【発明を実施するための最良の形態】
【００１３】
以下、本発明に係る折り畳みシート体について、図面を参照しながら詳細に説明する。なお、本発明は必ずしも以下の実施形態に限定されるものではなく、特許請求の範囲を逸脱しない範囲において、その構成を適宜に変更できることはいうまでもない。
【００１４】
図１は、本発明に係る折り畳みシート体（以下、「本折り畳みシート体」という）１０の展開正面図であり、図２は、折り畳み状態における本折り畳みシート体１０の上面図であり、図３は、本折り畳みシート１０の拡張した様子を示す斜視図である。
【００１５】
図１に示すように、本折り畳みシート体１０は、縦長状の矩形シート体１１を上下に略二分する中心線１２を境として、夫々上方シート体１３及び下方シート体１４とし、中心線１２に沿って左シート片１５及び右シート片１６を、矩形シート体１１の左右側端に夫々延設し、上方シート体１３の端部１７に山折り線である折り線１８を介して糊代部１９を設け、矩形シート体１１における中心線１２の幅方向中央部に山折り線である第１中央折り線２０を刻設し、第１中央折り線２０の一端部Ａと、左シート片１５及び矩形シート体１１の交差点Ｂ，Ｃの夫々とを山折り線２１，２２で連接すると共に、第１中央折り線２０の一端部Ａから最長で左シート片１５の端部Ｄまで、中心線１２と一致する谷折り線である左シート片中央折り線２３を刻設し、同様に、第１中央折り線１２の他端部Ｅと、右シート片１６及び矩形シート体１１の交差点Ｆ，Ｇの夫々とを山折り線２４，２５で連接すると共に、第１中央折り線１２の他端部Ｅから最長で右シート片１６の端部Ｈまで、中心線１２と一致する谷折り線である右シート片中央折り線２６を刻設して折り畳みシート本体２７を形成する。
【００１６】
このように形成された本折り畳みシート本体２７は、糊代部１９を下方シート体１４の端部２８に貼設し、図２に示すように、左右シート片１５，１６が上方シート体１３と下方シート体１４との間に挟まれるように折り畳む。このように本折り畳みシート体１０が折り畳まれた状態で、左右シート片１５，１６を同時に矢印Ｙ１，Ｙ２で示す左右方向に引き出す（外側に引っ張り出す）ことにより、図３に示すように、上下方シート体１３，１４が筒状に拡張することを可能にしている。これにより、使用者が意外な驚き及び娯楽性をもって、その動きを楽しむことができるようになる。
【００１７】
なお、本折り畳みシート体１０は、縦長状の矩形シート体１１の四隅を切り落とし、上方シート体１３及び下方シート体１４を夫々八角形に形成している。しかしながら、この縦長状の矩形シート体１１の四隅は必ずしも切り落とさなければならないものではなく、あるいは四隅を円弧状にする等、公知の種々の形状とすることができる。
【００１８】
また、図１に示すように、本折り畳みシート体１０の上方シート体１３には、上方シート体１３を上下に略二分し、上部上方シート体２９及び下部上方シート体３０とする山折り線である第２中央折り線３１が刻設され、同様に、下方シート体１４には、下方シート体１４を上下に略二分し、上部下方シート体３２及び下部下方シート体３３とする山折り線である第３中央折り線３４が刻設されている。さらに、上部上方シート体２９には、第２中央折り線３１を底辺とする半円状のスリット３５を刻設して第１突出片３６が形成され、下部下方シート体３３には、第３中央折り線３４を底辺とする半円状のスリット３７を刻設して第２突出片３８が形成されている。これにより、図３に示すように、左右シート片１５，１６を外側に引っ張り出すと同時に、この突出片３６，３８が突出し、より使用者が意外な驚きをもってその動きを楽しむことができるようになる。
【００１９】
なお、この上部上方シート体２９及び下部下方シート体３３に刻設されるスリット３６、３８は必ずしも半円状である必要はなく、この他、第２中央折り線３１、第３中央折り線３４を底辺とするものであれば、三角形状、矩形状、ツリー形状等の公知の種々の形状とすることができる。また、本折り畳みシート体１０は、第２中央折り線３１、第３中央折り線３３の中心と、第１、第２突出部の底辺の中心とが夫々一致しているが、これも必ずしも一致している必要はない。
【００２０】
また、本折り畳みシート体１１の左シート片１５は、図１に示すような形状に形成されている。すなわち、左シート片１５の端部には、半円形状の掴み部３９が、半円の直径４０と中心線１２が垂直に交わり、また半円の直径４０の中心が中心線１１上に位置するように配置されている。そして、本折り畳みシート体１０の左シート片１５は、左シート片中央折り線２３が左シート片１５の略中央部まで延び、この左シート片中央折り線２３の端部Ｉ、及び左シート片１５と上方シート体１３との交差点Ｂが円弧状の線である辺４１で連接されている。また、交差点Ｃからは中心線１１に平行で、下方シート体１５の一辺である辺４０と同じ長さを有する辺４２と、その辺４２の端部Ｊと掴み部３９の半円の直径４０の一端部Ｋとを辺４３で結び、左シート片１５及び下方シート体１４の交差点Ｃと掴み部３９の半円の直径４０の一端部Ｋとが連接されている。さらに、掴み部３９の半円の直径４０の他端部Ｌから中心線１２と平行な直線である辺４４を円弧状の辺４１との交差点Ｍまで延ばし、左シート片１５が形成されている。なお、左シート片中央折り線２３の端部Ｉから交差点Ｍまでは折り線ではなく、スリットである。さらにまた、左シート片１５には、掴み部３９の半円の直径（底辺）４０が上方シート体１３の側辺４５と重なるように、谷折りの折り線４６が刻設されている。また、右シート片１６も、左シート片１５と左右対称形状の同様の形状に形成されている。これにより、図２に示すように、本折り畳みシート体１０を折り畳んだ状態で掴み代部４７が形成され、左右シート片１５，１６を左右方向に引き出すことがより容易となる。
【００２１】
さらに、本折り畳みシート体１０の上方シート体１３及び下方シート体１４には、図１に示すように、半円状の切り欠き４８が設けられている。この切り欠き４８は、左右シート片１５，１６に設けられた半円状の掴み部３９と同様の形状である。また、本折り畳みシート体１０が折り畳まれた状態で、掴み部３９の直径（底辺）４０が上方シート体１３の側辺４５と一致する位置に切り欠き４８の半円の底辺４９が位置するように、切り欠き４８が形成されている。これにより、図２に示すように、本折り畳みシート体１０は折り畳まれた状態で、左右シート片１５，１６に設けられた半円形状の掴み部３９と上下方シート体１３，１４に設けられた半円状の切り欠き４８とで、掴み代部４７が円形状となり、よりデザインの幅が広がり、より意外性や娯楽性に富むようになる。
【００２２】
なお、本折り畳みシート体１０は掴み代部４７が円形状になるように形成したが、掴み代部の形状は円形状に限らず、矩形、三角形、ハート型等、用途等に応じて公知の種々の形状とすることができる。
【００２３】
さらにまた、本折り畳みシート体１０の左右シート片１５，１６の形状は、図１に示すような形状に限られるものではなく、例えば図４に示すように、少なくとも左シート片中央折り線２３及び右シート片中央折り線２６の長さａが、上方シート体１３（下方シート体１４）の縦方向の長さｂよりも短く、また左右シート片１５，１６の縦方向の最長の長さｃが、矩形シート体１１の横方向の長さ（幅）ｄよりも短い形状であれば、公知の種々の形状とすることができる。
【００２４】
また、本折り畳みシート体１０は、糊代部１９が上方シート体１３の端部１７に設けられているが、下方シート体１４の端部１８に設けても良いことはいうまでもない。この場合は、糊代部１９は上方シート体１３の端部１７に貼設される。
【００２５】
本折り畳みシート体１０の表面に絵柄又は文字から成るデザインを施され、これにより、意外性や娯楽性に富み、また商品の拡販目的や乳幼児の知育目的等の面でも有効なものとすることができる。
【００２６】
以上のとおり構成された本発明に係る折り畳みシート体によれば、デザインを種々なものに代えることにより、また、矩形シート体１１、左右シート片１５，１６、突出片３６等の形状を種々のものとすることにより、その他多くの目的に役立てることができる。
【００２７】
なお、本発明の内容をより明確にするために、本発明に係る折り畳みシートの見本を撮影した写真を図５〜図１９に添付する。
【００２８】
以上、本発明の内容を一実施形態に基づき説明したが、本発明は必ずしもこの実施形態に限定されるものでないことは前述したとおりである。
【図面の簡単な説明】
【００２９】
【図１】本発明に係る折り畳みシート体の展開正面図である。
【図２】本発明に係る折り畳みシート体を折り畳んだ状態における上面図である。
【図３】本発明に係る折り畳みシート体の拡張途中の状態を示す斜視図である。
【図４】本発明の変更例に係る折り畳みシート体の展開正面図である。
【図５】本発明の実施形態に係る折り畳みシート体の使用開始前の状態（閉じた状態）を写真で示す正面図である。
【図６】図５に写真で示す折り畳みシート体の背面図である。
【図７】図５に写真で示す折り畳みシート体の平面図である。
【図８】図５に写真で示す折り畳みシート体の底面図である。
【図９】図５に写真で示す折り畳みシート体の左側面図である。
【図１０】図５に写真で示す折り畳みシート体の右側面図である。
【図１１】本発明の実施形態に係る折り畳みシート体の使用時の状態（開いた状態）を写真で示す正面図である。
【図１２】図１１に写真で示す折り畳みシート体の背面図である。
【図１３】図１１に写真で示す折り畳みシート体の平面図である。
【図１４】図１１に写真で示す折り畳みシート体の底面図である。
【図１５】図１１に写真で示す折り畳みシート体の左側面図である。
【図１６】図１１に写真で示す折り畳みシート体の右側面図である。
【図１７】本発明の実施形態に係る折り畳みシート体の使用開始時の状態（閉じた状態から開き始める状態）を写真で示す参考図である。
【図１８】本折り畳みシート体の使用途中を写真で示す参考図である。
【図１９】本折り畳みシート体の使用時の状態を写真で示す参考図である。
【符号の説明】
【００３０】
１０                    折り畳みシート体
１１                    縦長状の矩形シート体
１２                    矩形シート体を上下に略二分する中心線
１３                    （矩形シート体の）上方シート体
１４                    （矩形シート体の）下方シート体
１５                    左シート片
１６                    右シート片
１７                    上方シート体の端部
１９                    糊代部
２０                    第１中央折り線
２１，２２，２４，２５  第１中央折り線の端部から、左右シート片と矩形シート体との交差点にそれぞれ延びる山折りの折り線
２３                    左シート片中央折り線
２６                    右シート片中央折り線
２７                    折り畳みシート体本体
Ａ，Ｅ                  第１中央折り線の端部
Ｂ，Ｃ                  左シート片と矩形シート体との交差点
Ｆ，Ｇ                  右シート片と矩形シート体との交差点
【図１】
0004758409.tif 000002
【図２】
0004758409.tif 000003
【図３】
0004758409.tif 000004
【図４】
0004758409.tif 000005
【図５】
0004758409.tif 000006
【図６】
0004758409.tif 000007
【図７】
0004758409.tif 000008
【図８】
0004758409.tif 000009
【図９】
0004758409.tif 000010
【図１０】
0004758409.tif 000011
【図１１】
0004758409.tif 000012
【図１２】
0004758409.tif 000013
【図１３】
0004758409.tif 000014
【図１４】
0004758409.tif 000015
【図１５】
0004758409.tif 000016
【図１６】
0004758409.tif 000017
【図１７】
0004758409.tif 000018
【図１８】
0004758409.tif 000019
【図１９】
0004758409.tif 000020